【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
オペレーティングシステムを有する電子デバイスであって、
少なくとも1つのプロセッサと、
前記オペレーティングシステムの開発者によって提供される、第1のアプリケーション、SMSアプリケーション、およびデフォルト入力方法アプリケーションを含む複数のアプリケーションであって、前記デフォルト入力方法アプリケーションはキーボードを含む、複数のアプリケーションと、
前記少なくとも1つのプロセッサによって実行されたとき、前記電子デバイスに、
前記第1のアプリケーションのユーザインタフェースおよび別のキーボードを有する第三者入力方法アプリケーションのユーザインタフェースを表示することであって、前記第1のアプリケーションの前記ユーザインタフェースは入力領域を含み、第三者入力方法アプリケーションの前記ユーザインタフェースは、前記第1のアプリケーションの前記ユーザインタフェースの下に表示される、表示することと、
前記第1のアプリケーションの前記ユーザインタフェース上で、確認コードを取得するための操作を検出することと、
前記SMSアプリケーションによって、第1の確認コードを含む第1のSMSメッセージを受信することと、
前記第三者入力方法アプリケーションの前記キーボード上に前記第1の確認コードを表示する代わりに、前記デフォルト入力方法アプリケーションの前記キーボード上に前記第1の確認コードを自動的に表示することと、
前記第1の確認コード上で第1の操作を受信することと、
前記第1の操作に応答して、前記第1の確認コードを前記入力領域に入力することと
をさせるプログラム命令を記憶するメモリと
を備える電子デバイス。
【請求項２】
前記第1の確認コードが、前記入力方法アプリケーションのデジタルキーボード領域上に表示される、請求項1に記載の電子デバイス。
【請求項３】
前記電子デバイスにインストールされている前記オペレーティングシステムはiOSまたはAndroidである、請求項1または2に記載の電子デバイス。
【請求項４】
前記SMSアプリケーションは、前記電子デバイスにインストールされている前記オペレーティングシステムを開発する前記開発者によって提供され、または、前記入力方法アプリケーションおよび前記SMSアプリケーションは、デフォルトでインストールされているアプリケーションである、請求項3に記載の電子デバイス。
【請求項５】
前記第1のアプリケーションは第三者によって開発される、請求項1〜3のいずれか一項に記載の電子デバイス。
【請求項６】
前記第1の確認コードは、4桁または6桁である、請求項1〜5のいずれか一項に記載の電子デバイス。
【請求項７】
前記電子デバイスは、前記第三者入力方法アプリケーションが前記第1の確認コードを読み取ることを許可しないようにさらにさせる、請求項6に記載の電子デバイス。
【請求項８】
前記電子デバイスは、
第2の確認コードを含む第2のSMSメッセージを受信することであって、前記第2のSMSメッセージの受信時間は前記第1のSMSメッセージの受信時間より後である、受信することと、
前記デフォルト入力方法アプリケーションの前記キーボード上に、前記第2の確認コードを自動的に表示することと、
前記第2の確認コード上で第2の操作を受信することと、
前記第2の操作に応答して、前記第2の確認コードを前記入力領域に入力することと
をさらにさせる、請求項1〜7のいずれか一項に記載の電子デバイス。
【請求項９】
前記第1の操作は、タップ、ダブルタップ、タッチアンドホールド、強く押す、軽く押す、フロート、またはアイトラッキングのうちの1つであり、
前記第2の操作は、タップ、ダブルタップ、タッチアンドホールド、強く押す、軽く押す、フロート、またはアイトラッキングのうちの1つである、請求項1〜8のいずれか一項に記載の電子デバイス。
【請求項１０】
前記電子デバイスは、
前記デフォルト入力方法アプリケーションおよび前記SMSアプリケーションのみが、前記第1の確認コードを読み取ることを許可することをさらにさせる、請求項4〜9のいずれか一項に記載の電子デバイス。
【請求項１１】
前記第1のSMSメッセージは、前記第1のアプリケーションを示す識別子を含む、請求項1〜10のいずれか一項に記載の電子デバイス。
【請求項１２】
前記電子デバイスは、
前記第1のSMSメッセージを受信した後であって、前記第1の確認コードを自動的に表示する前に、前記識別子によって前記第1の確認コードを読み取ることをさらにさせる、請求項11に記載の電子デバイス。
【請求項１３】
電子デバイスにインストールされている第1のアプリケーションのユーザインタフェースおよび第三者入力方法アプリケーションのユーザインタフェースを表示するステップであって、前記第1のアプリケーションの前記ユーザインタフェースは入力領域を含み、第三者入力方法アプリケーションの前記ユーザインタフェースは、前記第1のアプリケーションの前記ユーザインタフェースの下に表示され、前記電子デバイスは、SMSアプリケーションおよびデフォルト入力方法アプリケーションをさらに含み、前記デフォルト入力方法アプリケーションは、電子デバイスにインストールされているオペレーティングシステムの開発者によって提供される、表示するステップと、
前記第1のアプリケーションの前記ユーザインタフェース上で、確認コードを取得するための操作を検出するステップと、
前記SMSアプリケーションによって、第1の確認コードを含む第1のSMSメッセージを受信するステップと、
前記第三者入力方法アプリケーションの前記キーボード上に前記第1の確認コードを表示する代わりに、前記デフォルト入力方法アプリケーションのキーボード上に前記第1の確認コードを自動的に表示するステップと、
前記第1の確認コード上で第1の操作を受信するステップと、
前記第1の操作に応答して、前記第1の確認コードを前記入力領域に入力するステップと
を含む、方法。
【請求項１４】
前記第1の確認コードが、前記入力方法アプリケーションのデジタルキーボード領域上に表示される、請求項13に記載の方法。
【請求項１５】
前記電子デバイスにインストールされている前記オペレーティングシステムはiOSまたはAndroidである、請求項13または14に記載の方法。
【請求項１６】
前記SMSアプリケーションは、前記電子デバイスにインストールされている前記オペレーティングシステムを開発する前記開発者によって提供され、または、前記入力方法アプリケーションおよび前記SMSアプリケーションは、デフォルトでインストールされているアプリケーションである、請求項15に記載の方法。
【請求項１７】
前記第1のアプリケーションは第三者によって開発される、請求項13〜16のいずれか一項に記載の方法。
【請求項１８】
前記第1の確認コードは、4桁または6桁である、請求項13〜17のいずれか一項に記載の方法。
【請求項１９】
前記方法は、前記第三者入力方法アプリケーションが前記第1の確認コードを読み取ることを許可しないステップをさらに含む、請求項18に記載の方法。
【請求項２０】
前記方法は、
第2の確認コードを含む第2のSMSメッセージを受信するステップであって、前記第2のSMSメッセージの受信時間は前記第1のSMSメッセージの受信時間より後である、受信するステップと、
前記デフォルト入力方法アプリケーションの前記キーボード上に、前記第2の確認コードを自動的に表示するステップと、
前記第2の確認コード上で第2の操作を受信するステップと、
前記第2の操作に応答して、前記第2の確認コードを前記入力領域に入力するステップと
をさらに含む、請求項13〜19のいずれか一項に記載の方法。
【請求項２１】
前記第1の操作は、タップ、ダブルタップ、タッチアンドホールド、強く押す、軽く押す、フロート、またはアイトラッキングのうちの1つであり、
前記第2の操作は、タップ、ダブルタップ、タッチアンドホールド、強く押す、軽く押す、フロート、またはアイトラッキングのうちの1つである、請求項13〜20のいずれか一項に記載の方法。
【請求項２２】
前記方法は、
前記デフォルト入力方法アプリケーションおよび前記SMSアプリケーションのみが、前記第1の確認コードを読み取ることを許可するステップをさらに含む、請求項16〜21のいずれか一項に記載の方法。
【請求項２３】
前記第1のSMSメッセージは、前記第1のアプリケーションを示す識別子を含む、請求項13〜22のいずれか一項に記載の方法。
【請求項２４】
前記方法は、
前記第1のSMSメッセージを受信した後であって、前記第1の確認コードを自動的に表示する前に、前記識別子によって前記第1の確認コードを読み取るステップをさらに含む、請求項23に記載の方法。
【請求項２５】
電子デバイスによって実行されたとき、前記電子デバイスに、請求項13〜24のいずれか一項に記載の方法を実行させるプログラム命令を記憶したコンピュータ可読記憶媒体。